【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
ビデオデータをコーディングする方法であって、前記方法は、
マルチレイヤ・ビットストリームの独立して復号可能な非ベースレイヤのピクチャの少なくとも一部分をコーディングすることと、
前記ピクチャが、０に等しい前記ピクチャのためのピクチャ順序カウント（ＰＯＣ）最下位ビット（ＬＳＢ）値を有するときのみ、前記ピクチャのＰＯＣ  ＬＳＢ値のためのＰＯＣ値リセットを示すデータをコーディングすることと
を備える、方法。
【請求項２】
前記ピクチャのピクチャタイプに基づいて、前記ピクチャの前記ＰＯＣ  ＬＳＢ値が０に等しいと決定することをさらに備え、ここにおいて、前記ピクチャタイプが、瞬時デコーダリフレッシュ（ＩＤＲ）ピクチャ、切断リンクアクセス（ＢＬＡ）ピクチャ、またはクリーンランダムアクセス（ＣＲＡ）ピクチャのうちの１つである、請求項１に記載の方法。
【請求項３】
前記ＰＯＣ値リセットを示す前記データをコーディングすることが、前記ＰＯＣ値リセットを示す１つまたは複数のシンタックス要素をコーディングすることを備える、請求項１に記載の方法。
【請求項４】
前記１つまたは複数のシンタックス要素をコーディングすることが、ＰＯＣ値リセットインデックスをコーディングすることを備え、前記ピクチャが、０に等しくないＰＯＣ  ＬＳＢ値を有するとき、前記ＰＯＣ値リセットインデックスをコーディングすることが、２以外の値であるｐｏｃ＿ｒｅｓｅｔ＿ｉｄｃシンタックス要素をコーディングすることを備える、請求項３に記載の方法。
【請求項５】
前記１つまたは複数のシンタックス要素をコーディングすることが、ＰＯＣ値リセットインデックスをコーディングすることを備え、前記ピクチャが、０に等しいＰＯＣ  ＬＳＢ値を有するとき、前記ＰＯＣ値リセットインデックスをコーディングすることが、３に等しいｐｏｃ＿ｒｅｓｅｔ＿ｉｄｃシンタックス要素をコーディングすることを備える、請求項３に記載の方法。
【請求項６】
前記ＰＯＣ  ＬＳＢ値が０に等しいことを示す前記ピクチャのスライスヘッダのｐｏｃ＿ｌｓｂ＿ｖａｌシンタックス要素をコーディングすることをさらに備える、請求項５に記載の方法。
【請求項７】
前記独立して復号可能な非ベースレイヤが独立して復号可能なレイヤであることを示す１つまたは複数のシンタックス要素をコーディングすることをさらに備える、請求項１に記載の方法。
【請求項８】
前記マルチレイヤ・ビットストリームが、ＨＥＶＣのマルチビュー・ビデオコーディング拡張（ＭＶ−ＨＥＶＣ）ビデオコーディング規格、またはＨＥＶＣのスケーラブルビデオコーディング（ＳＶＣ）拡張（ＳＨＶＣ）ビデオコーディング規格のうちの１つに準拠し、独立して復号可能な非ベースレイヤが前記ＨＥＶＣビデオコーディング規格に準拠する、請求項１に記載の方法。
【請求項９】
コーディングすることが符号化することを備え、前記ピクチャの前記少なくとも一部分を符号化することが、
予測データと前記少なくとも一部分との間の差を示す、前記少なくとも一部分のための残差データを生成することと、
変換係数を生成するために前記残差データに変換を適用することと、
前記変換係数の指示を含むビットストリームを生成することと
を備える、請求項１に記載の方法。
【請求項１０】
コーディングすることが復号することを備え、前記ピクチャの前記少なくとも一部分を復号することが、
符号化ビットストリームから前記少なくとも一部分のための変換係数を取得することと、
残差データを生成するために前記変換係数に逆変換を適用することと、
前記生成された残差データに基づいて前記ピクチャの前記少なくとも一部分を決定することと
を備える、請求項１に記載の方法。
【請求項１１】
ビデオデータをコーディングするためのデバイスであって、前記デバイスは、
マルチレイヤ・ビットストリームの独立して復号可能な非ベースレイヤのピクチャの少なくとも一部分をコーディングするための手段と、
前記ピクチャが、０に等しい前記ピクチャのためのピクチャ順序カウント（ＰＯＣ）最下位ビット（ＬＳＢ）値を有するときのみ、前記ピクチャのＰＯＣ  ＬＳＢ値のためのＰＯＣ値リセットを示すデータをコーディングするための手段と
を備える、デバイス。
【請求項１２】
前記マルチレイヤ・ビットストリームが、ＨＥＶＣのマルチビュー・ビデオコーディング拡張（ＭＶ−ＨＥＶＣ）ビデオコーディング規格、またはＨＥＶＣのスケーラブルビデオコーディング（ＳＶＣ）拡張（ＳＨＶＣ）ビデオコーディング規格のうちの１つに準拠し、独立して復号可能な非ベースレイヤが前記ＨＥＶＣビデオコーディング規格に準拠する、請求項１１に記載のデバイス。
【請求項１３】
前記デバイスがビデオエンコーダを備え、前記ビデオエンコーダが、
予測データと前記少なくとも一部分との間の差を示す、前記少なくとも一部分のための残差データを計算することと、
変換係数を生成するために前記残差データに変換を適用することと、
前記変換係数の指示を含むビットストリームを生成することと
を行うようにさらに構成された、請求項１１に記載のデバイス。
【請求項１４】
前記デバイスがビデオデコーダを備え、前記ビデオデコーダが、
符号化ビットストリームから前記少なくとも一部分のための変換係数を取得することと、
残差データを生成するために前記変換係数に逆変換を適用することと、
前記生成された残差データに基づいて前記ピクチャの前記少なくとも一部分を決定することと
を行うようにさらに構成された、請求項１１に記載のデバイス。
【請求項１５】
実行されたとき、ビデオデータをコーディングするためのデバイスのプロセッサに、請求項１乃至１０のいずれか一項に記載の方法を行わせる命令を記憶した非一時的コンピュータ可読記憶媒体。
【手続補正２】
【補正対象書類名】明細書
【補正対象項目名】０１８５
【補正方法】変更
【補正の内容】
【０１８５】
[0189]様々な例について説明した。これらおよび他の例は以下の特許請求の範囲内に入る。
以下に本願の出願当初の特許請求の範囲に記載された発明を付記する。
［Ｃ１］
ビデオデータをコーディングする方法であって、前記方法は、
マルチレイヤ・ビットストリームの独立して復号可能な非ベースレイヤのピクチャの少なくとも一部分をコーディングすることと、
前記ピクチャが、０に等しい前記ピクチャのためのピクチャ順序カウント（ＰＯＣ）最下位ビット（ＬＳＢ）値を有するときのみ、前記ピクチャのＰＯＣ  ＬＳＢ値のためのＰＯＣ値リセットを示すデータをコーディングすることと
を備える、方法。
［Ｃ２］
前記ピクチャのピクチャタイプに基づいて、前記ピクチャの前記ＰＯＣ  ＬＳＢ値が０に等しいと決定することをさらに備え、ここにおいて、前記ピクチャタイプが、瞬時デコーダリフレッシュ（ＩＤＲ）ピクチャ、切断リンクアクセス（ＢＬＡ）ピクチャ、またはクリーンランダムアクセス（ＣＲＡ）ピクチャのうちの１つである、Ｃ１に記載の方法。
［Ｃ３］
前記ＰＯＣ値リセットを示す前記データをコーディングすることが、前記ＰＯＣ値リセットを示す１つまたは複数のシンタックス要素をコーディングすることを備える、Ｃ１に記載の方法。
［Ｃ４］
前記１つまたは複数のシンタックス要素をコーディングすることが、ＰＯＣ値リセットインデックスをコーディングすることを備え、前記ピクチャが、０に等しくないＰＯＣ  ＬＳＢ値を有するとき、前記ＰＯＣ値リセットインデックスをコーディングすることが、２以外の値であるｐｏｃ＿ｒｅｓｅｔ＿ｉｄｃシンタックス要素をコーディングすることを備える、Ｃ３に記載の方法。
［Ｃ５］
前記１つまたは複数のシンタックス要素をコーディングすることが、ＰＯＣ値リセットインデックスをコーディングすることを備え、前記ピクチャが、０に等しいＰＯＣ  ＬＳＢ値を有するとき、前記ＰＯＣ値リセットインデックスをコーディングすることが、３に等しいｐｏｃ＿ｒｅｓｅｔ＿ｉｄｃシンタックス要素をコーディングすることを備える、Ｃ３に記載の方法。
［Ｃ６］
前記ＰＯＣ  ＬＳＢ値が０に等しいことを示す前記ピクチャのスライスヘッダのｐｏｃ＿ｌｓｂ＿ｖａｌシンタックス要素をコーディングすることをさらに備える、Ｃ５に記載の方法。
［Ｃ７］
前記独立して復号可能な非ベースレイヤが独立して復号可能なレイヤであることを示す１つまたは複数のシンタックス要素をコーディングすることをさらに備える、Ｃ１に記載の方法。
［Ｃ８］
前記マルチレイヤ・ビットストリームが、ＨＥＶＣのマルチビュー・ビデオコーディング拡張（ＭＶ−ＨＥＶＣ）ビデオコーディング規格、またはＨＥＶＣのスケーラブルビデオコーディング（ＳＶＣ）拡張（ＳＨＶＣ）ビデオコーディング規格のうちの１つに準拠し、独立して復号可能な非ベースレイヤが前記ＨＥＶＣビデオコーディング規格に準拠する、Ｃ１に記載の方法。
［Ｃ９］
前記ＨＥＶＣビデオコーディング規格を使用して、および前記独立して復号可能な非ベースレイヤの１つまたは複数の他のピクチャのスライスヘッダのデータを変更することなしに、前記１つまたは複数の他のピクチャをコーディングすることをさらに備える、Ｃ８に記載の方法。
［Ｃ１０］
前記マルチレイヤ・ビットストリームが前記ＳＨＶＣビデオコーディング規格に準拠し、前記独立して復号可能な非ベースレイヤが、前記マルチレイヤ・ビットストリームのベースレイヤよりも高い解像度を有する、Ｃ８に記載の方法。
［Ｃ１１］
前記マルチレイヤ・ビットストリームが前記ＭＶ−ＨＥＶＣビデオコーディング規格に準拠し、前記独立して復号可能な非ベースレイヤが、前記マルチレイヤ・ビットストリームのベースレイヤのビューとは異なるビューを備える、Ｃ８に記載の方法。
［Ｃ１２］
コーディングすることが符号化することを備え、前記ピクチャの前記少なくとも一部分を符号化することが、
予測データと前記少なくとも一部分との間の差を示す、前記少なくとも一部分のための残差データを生成することと、
変換係数を生成するために前記残差データに変換を適用することと、
前記変換係数の指示を含むビットストリームを生成することと
を備える、Ｃ１に記載の方法。
［Ｃ１３］
コーディングすることが復号することを備え、前記ピクチャの前記少なくとも一部分を復号することが、
符号化ビットストリームから前記少なくとも一部分のための変換係数を取得することと、
残差データを生成するために前記変換係数に逆変換を適用することと、
前記生成された残差データに基づいて前記ピクチャの前記少なくとも一部分を決定することと
を備える、Ｃ１に記載の方法。
［Ｃ１４］
ビデオデータをコーディングするためのデバイスであって、前記デバイスが、
マルチレイヤ・ビットストリームのビデオデータの独立して復号可能なレイヤを記憶するように構成されたメモリと、
ビデオコーダとを備え、前記ビデオコーダは、
前記マルチレイヤ・ビットストリームの独立して復号可能な非ベースレイヤのピクチャの少なくとも一部分をコーディングすることと、
前記ピクチャが、０に等しい前記ピクチャのためのピクチャ順序カウント（ＰＯＣ）最下位ビット（ＬＳＢ）値を有するときのみ、前記ピクチャのＰＯＣ  ＬＳＢ値のためのＰＯＣ値リセットを示すデータをコーディングすることと
を行うように構成された、デバイス。
［Ｃ１５］
前記ビデオコーダは、前記ピクチャのピクチャタイプに基づいて、前記ピクチャの前記ＰＯＣ  ＬＳＢ値が０に等しいと決定するようにさらに構成され、ここにおいて、前記ピクチャタイプが、瞬時デコーダリフレッシュ（ＩＤＲ）ピクチャ、切断リンクアクセス（ＢＬＡ）ピクチャ、またはクリーンランダムアクセス（ＣＲＡ）ピクチャのうちの１つである、Ｃ１４に記載のデバイス。
［Ｃ１６］
前記ＰＯＣ値リセットを示す前記データをコーディングするために、前記ビデオコーダが、前記ＰＯＣ値リセットを示す１つまたは複数のシンタックス要素をコーディングするように構成された、Ｃ１４に記載のデバイス。
［Ｃ１７］
前記１つまたは複数のシンタックス要素をコーディングするために、前記ビデオコーダが、ＰＯＣ値リセットインデックスをコーディングするように構成され、前記ピクチャが、０に等しくないＰＯＣ  ＬＳＢ値を有するとき、前記ビデオコーダが、２以外の値である前記ＰＯＣ値リセットインデックスのためのｐｏｃ＿ｒｅｓｅｔ＿ｉｄｃシンタックス要素をコーディングするように構成された、Ｃ１６に記載のデバイス。
［Ｃ１８］
前記１つまたは複数のシンタックス要素をコーディングするために、前記ビデオコーダが、ＰＯＣ値リセットインデックスをコーディングするように構成され、前記ピクチャが、０に等しいＰＯＣ  ＬＳＢ値を有するとき、前記ビデオコーダが、３に等しい前記ＰＯＣ値リセットインデックスのためのｐｏｃ＿ｒｅｓｅｔ＿ｉｄｃシンタックス要素をコーディングするように構成された、Ｃ１６に記載のデバイス。
［Ｃ１９］
前記ビデオコーダが、前記ＰＯＣ  ＬＳＢ値が０に等しいことを示す前記ピクチャのスライスヘッダのｐｏｃ＿ｌｓｂ＿ｖａｌシンタックス要素をコーディングするようにさらに構成された、Ｃ１６に記載のデバイス。
［Ｃ２０］
前記ビデオコーダが、前記独立して復号可能な非ベースレイヤが独立して復号可能なレイヤであることを示す１つまたは複数のシンタックス要素をコーディングするようにさらに構成された、Ｃ１４に記載のデバイス。
［Ｃ２１］
前記マルチレイヤ・ビットストリームが、ＨＥＶＣのマルチビュー・ビデオコーディング拡張（ＭＶ−ＨＥＶＣ）ビデオコーディング規格、またはＨＥＶＣのスケーラブルビデオコーディング（ＳＶＣ）拡張（ＳＨＶＣ）ビデオコーディング規格のうちの１つに準拠し、独立して復号可能な非ベースレイヤが前記ＨＥＶＣビデオコーディング規格に準拠する、Ｃ１４に記載のデバイス。
［Ｃ２２］
前記ビデオコーダが、前記ＨＥＶＣビデオコーディング規格を使用して、および前記独立して復号可能な非ベースレイヤの１つまたは複数の他のピクチャのスライスヘッダのデータを変更することなしに、前記１つまたは複数の他のピクチャをコーディングするようにさらに構成された、Ｃ２１に記載のデバイス。
［Ｃ２３］
前記マルチレイヤ・ビットストリームが前記ＳＨＶＣビデオコーディング規格に準拠し、前記独立して復号可能な非ベースレイヤが、前記マルチレイヤ・ビットストリームのベースレイヤよりも高い解像度を有する、Ｃ２１に記載のデバイス。
［Ｃ２４］
前記マルチレイヤ・ビットストリームが前記ＭＶ−ＨＥＶＣビデオコーディング規格に準拠し、前記独立して復号可能な非ベースレイヤが、前記マルチレイヤ・ビットストリームのベースレイヤのビューとは異なるビューを備える、Ｃ２１に記載のデバイス。
［Ｃ２５］
前記ビデオコーダがビデオエンコーダを備え、前記ビデオエンコーダが、
予測データと前記少なくとも一部分との間の差を示す、前記少なくとも一部分のための残差データを生成することと、
変換係数を生成するために前記残差データに変換を適用することと、
前記変換係数の指示を含むビットストリームを生成することと
を行うようにさらに構成された、Ｃ１４に記載のデバイス。
［Ｃ２６］
前記ビデオコーダがビデオデコーダを備え、前記ビデオデコーダが、
符号化ビットストリームから前記少なくとも一部分のための変換係数を取得することと、
残差データを生成するために前記変換係数に逆変換を適用することと、
前記生成された残差データに基づいて前記ピクチャの前記少なくとも一部分を決定することと
を行うようにさらに構成された、Ｃ１４に記載のデバイス。
［Ｃ２７］
前記デバイスが、
集積回路、
マイクロプロセッサ、または
ワイヤレス通信デバイスのうちの少なくとも１つを備える、Ｃ１４に記載のデバイス。
［Ｃ２８］
ビデオデータをコーディングするためのデバイスであって、前記デバイスは、
マルチレイヤ・ビットストリームの独立して復号可能な非ベースレイヤのピクチャの少なくとも一部分をコーディングするための手段と、
前記ピクチャが、０に等しい前記ピクチャのためのピクチャ順序カウント（ＰＯＣ）最下位ビット（ＬＳＢ）値を有するときのみ、前記ピクチャのＰＯＣ  ＬＳＢ値のためのＰＯＣ値リセットを示すデータをコーディングするための手段と
を備える、デバイス。
［Ｃ２９］
実行されたとき、ビデオデータをコーディングするためのデバイスのプロセッサに、
マルチレイヤ・ビットストリームの独立して復号可能な非ベースレイヤのピクチャの少なくとも一部分をコーディングすることと、
前記ピクチャが、０に等しい前記ピクチャのためのピクチャ順序カウント（ＰＯＣ）最下位ビット（ＬＳＢ）値を有するときのみ、前記ピクチャのＰＯＣ  ＬＳＢ値のためのＰＯＣ値リセットを示すデータをコーディングすることと
を行わせる命令を記憶した非一時的コンピュータ可読記憶媒体。